(57)【要約】【課題】  印刷済みの記録媒体が他人に持ち去られたり、その印刷内容が他人に見られたりすることを防ぐことができる画像形成装置および装置制御プログラムを提供する。【解決手段】  画像形成装置は、セキュリティーボックスの少なくとも１つに記録媒体が収納されていない場合に、セキュリティーボックスに記録媒体を搬送し、全てのセキュリティーボックスに記録媒体が収納されている場合に、印刷データを待機印刷データとして記憶部に記憶し、記憶部に待機印刷データが記憶されている場合に（Ｓ１８１でＹＥＳ）、セキュリティーボックスの少なくとも１つに記録媒体が収納されていないとき（Ｓ１８２でＹＥＳ）、待機印刷データに基づいたプリンターによる印刷が実行された記録媒体を、記録媒体が収納されていないセキュリティーボックスに搬送し（Ｓ１８３およびＳ１８４）、この待機印刷データを記憶部から削除する（Ｓ１８５）ことを特徴とする。【選択図】  図９
2019055575.tif 000002
【特許請求の範囲】
【請求項１】
記憶デバイスと、
記録媒体への画像の印刷を実行する印刷デバイスと、
前記記録媒体を搬送する搬送デバイスと、
前記印刷デバイスによって印刷が実行された前記記録媒体をロックを掛けて収納する少なくとも１つの収納デバイスと、
前記印刷デバイスによる印刷を制御する印刷制御手段と、
前記搬送デバイスによる前記記録媒体の搬送を制御する搬送制御手段と
を備え、
前記搬送制御手段は、少なくとも１つの前記収納デバイスに前記記録媒体が収納されていない場合に、印刷データに基づいた前記印刷デバイスによる印刷が実行された前記記録媒体を、前記記録媒体が収納されていない、いずれか１つの前記収納デバイスに搬送し、
前記印刷制御手段は、
全ての前記収納デバイスに前記記録媒体が収納されている場合に、前記印刷データに基づいた前記印刷デバイスによる印刷を実行せずに前記印刷データを待機印刷データとして前記記憶デバイスに記憶し、
前記記憶デバイスに前記待機印刷データが記憶されている場合に、少なくとも１つの前記収納デバイスに前記記録媒体が収納されていないとき、前記記憶デバイスに記憶されている、いずれか１つの前記待機印刷データに基づいた前記印刷デバイスによる印刷を実行して、この待機印刷データを前記記憶デバイスから削除する
ことを特徴とする画像形成装置。
【請求項２】
前記印刷制御手段は、前記記憶デバイスに前記待機印刷データが記憶されている場合に、少なくとも１つの前記収納デバイスに前記記録媒体が収納されていないとき、前記記憶デバイスに最も先に記憶された前記待機印刷データに基づいた前記印刷デバイスによる印刷を実行して、この待機印刷データを前記記憶デバイスから削除することを特徴とする請求項１に記載の画像形成装置。
【請求項３】
前記印刷制御手段は、前記待機印刷データ以外の印刷データに基づいた印刷を実行している場合に、前記待機印刷データに基づいた印刷を実行するとき、前記待機印刷データ以外の印刷データに基づいた印刷を一時中断して、前記待機印刷データに基づいた印刷を実行することを特徴とする請求項１または請求項２に記載の画像形成装置。
【請求項４】
前記収納デバイスに収納されている前記記録媒体の回収を利用者に依頼する回収依頼手段を備え、
前記回収依頼手段は、全ての前記収納デバイスに前記記録媒体が収納されている場合に、前記回収を依頼することを特徴とする請求項１から請求項３までのいずれかに記載の画像形成装置。
【請求項５】
前記回収依頼手段は、全ての前記収納デバイスに前記記録媒体が収納されている場合に、前記収納デバイスに収納されている前記記録媒体のうち、前記印刷デバイスによって最も先に印刷が実行された前記記録媒体について、前記回収を依頼することを特徴とする請求項４に記載の画像形成装置。
【請求項６】
記憶デバイスと、
記録媒体への画像の印刷を実行する印刷デバイスと、
前記記録媒体を搬送する搬送デバイスと、
前記印刷デバイスによって印刷が実行された前記記録媒体をロックを掛けて収納する少なくとも１つの収納デバイスと
を備える画像形成装置に、
前記印刷デバイスによる印刷を制御する印刷制御手段と、
前記搬送デバイスによる前記記録媒体の搬送を制御する搬送制御手段と
を実現させ、
前記搬送制御手段は、少なくとも１つの前記収納デバイスに前記記録媒体が収納されていない場合に、印刷データに基づいた前記印刷デバイスによる印刷が実行された前記記録媒体を、前記記録媒体が収納されていない、いずれか１つの前記収納デバイスに搬送し、
前記印刷制御手段は、
全ての前記収納デバイスに前記記録媒体が収納されている場合に、前記印刷データに基づいた前記印刷デバイスによる印刷を実行せずに前記印刷データを待機印刷データとして前記記憶デバイスに記憶し、
前記記憶デバイスに前記待機印刷データが記憶されている場合に、少なくとも１つの前記収納デバイスに前記記録媒体が収納されていないとき、前記記憶デバイスに記憶されている、いずれか１つの前記待機印刷データに基づいた前記印刷デバイスによる印刷を実行して、この待機印刷データを前記記憶デバイスから削除する
ことを特徴とする装置制御プログラム。
【発明の詳細な説明】
【技術分野】
【０００１】
本発明は、印刷済みの記録媒体をロックを掛けて収納することができる画像形成装置および装置制御プログラムに関する。
【背景技術】
【０００２】
従来、印刷済みの記録媒体をロックを掛けて収納することができる画像形成装置として、記録媒体への画像の印刷を実行するプリンター本体と、記録媒体を搬送する出力部と、プリンター本体によって印刷が実行された記録媒体をロックを掛けて収納する複数のセキュリティーボックスと、全てのセキュリティーボックスに記録媒体が収納されている場合に記録媒体が載置される１つの共用トレイとを備えるプリンターが知られている（例えば、特許文献１参照。）。
【０００３】
特許文献１に記載されているプリンターは、プリンター本体による印刷が実行される場合に、少なくとも１つのセキュリティーボックスに記録媒体が収納されていないとき、プリンター本体による印刷が実行された記録媒体を、記録媒体が収納されていない、いずれか１つのセキュリティーボックスに搬送する。
【０００４】
特許文献１に記載されているプリンターは、プリンター本体による印刷が実行される場合に、全てのセキュリティーボックスに記録媒体が収納されているとき、プリンター本体による印刷が実行された全ての記録媒体を共用トレイに搬送する。
【先行技術文献】
【特許文献】
【０００５】
【特許文献１】特開２００８−２６２５６３号公報
【発明の概要】
【発明が解決しようとする課題】
【０００６】
しかしながら、特許文献１に記載されているプリンターにおいては、共用トレイに搬送された記録媒体が他人に持ち去られたり、その印刷内容が他人に見られたりする可能性があるという問題がある。
【０００７】
そこで、本発明は、印刷済みの記録媒体が他人に持ち去られたり、その印刷内容が他人に見られたりすることを防ぐことができる画像形成装置および装置制御プログラムを提供することを目的とする。
【課題を解決するための手段】
【０００８】
本発明の画像形成装置は、記憶デバイスと、記録媒体への画像の印刷を実行する印刷デバイスと、前記記録媒体を搬送する搬送デバイスと、前記印刷デバイスによって印刷が実行された前記記録媒体をロックを掛けて収納する少なくとも１つの収納デバイスと、前記印刷デバイスによる印刷を制御する印刷制御手段と、前記搬送デバイスによる前記記録媒体の搬送を制御する搬送制御手段とを備え、前記搬送制御手段は、少なくとも１つの前記収納デバイスに前記記録媒体が収納されていない場合に、印刷データに基づいた前記印刷デバイスによる印刷が実行された前記記録媒体を、前記記録媒体が収納されていない、いずれか１つの前記収納デバイスに搬送し、前記印刷制御手段は、全ての前記収納デバイスに前記記録媒体が収納されている場合に、前記印刷データに基づいた前記印刷デバイスによる印刷を実行せずに前記印刷データを待機印刷データとして前記記憶デバイスに記憶し、前記記憶デバイスに前記待機印刷データが記憶されている場合に、少なくとも１つの前記収納デバイスに前記記録媒体が収納されていないとき、前記記憶デバイスに記憶されている、いずれか１つの前記待機印刷データに基づいた前記印刷デバイスによる印刷を実行して、この待機印刷データを前記記憶デバイスから削除することを特徴とする。
【０００９】
この構成により、本発明の画像形成装置は、全ての収納デバイスに記録媒体が収納されている場合に、印刷データに基づいた印刷デバイスによる印刷を実行せずに印刷データを待機印刷データとして記憶デバイスに記憶し、記憶デバイスに待機印刷データが記憶されている場合に、少なくとも１つの収納デバイスに記録媒体が収納されていないとき、記憶デバイスに記憶されている、いずれか１つの待機印刷データに基づいた印刷デバイスによる印刷を実行して、この印刷が実行された記録媒体を、記録媒体が収納されていない、いずれか１つの収納デバイスに搬送するので、印刷データに基づいた印刷デバイスによる印刷が実行された記録媒体を確実に収納デバイスに搬送することができ、その結果、印刷済みの記録媒体が他人に持ち去られたり、その印刷内容が他人に見られたりすることを防ぐことができる。
【００１０】
本発明の画像形成装置において、前記印刷制御手段は、前記記憶デバイスに前記待機印刷データが記憶されている場合に、少なくとも１つの前記収納デバイスに前記記録媒体が収納されていないとき、前記記憶デバイスに最も先に記憶された前記待機印刷データに基づいた前記印刷デバイスによる印刷を実行して、この待機印刷データを前記記憶デバイスから削除しても良い。
【００１１】
この構成により、本発明の画像形成装置は、記憶デバイスに待機印刷データが記憶されている場合に、少なくとも１つの収納デバイスに記録媒体が収納されていないとき、記憶デバイスに最も先に記憶された待機印刷データに基づいた印刷デバイスによる印刷を実行して、この印刷が実行された記録媒体を、記録媒体が収納されていない、いずれか１つの収納デバイスに搬送するので、印刷データに基づいた印刷デバイスによる印刷が実行された記録媒体を収納デバイスに搬送する順番に関する公平性を向上することができる。
【００１２】
本発明の画像形成装置において、前記印刷制御手段は、前記待機印刷データ以外の印刷データに基づいた印刷を実行している場合に、前記待機印刷データに基づいた印刷を実行するとき、前記待機印刷データ以外の印刷データに基づいた印刷を一時中断して、前記待機印刷データに基づいた印刷を実行しても良い。
【００１３】
この構成により、本発明の画像形成装置は、記憶デバイスに待機印刷データが記憶されている場合に、少なくとも１つの収納デバイスに記録媒体が収納されていないとき、記憶デバイスに記憶されている、いずれか１つの待機印刷データに基づいた印刷デバイスによる印刷を優先して実行するので、利便性を向上することができる。
【００１４】
本発明の画像形成装置は、前記収納デバイスに収納されている前記記録媒体の回収を利用者に依頼する回収依頼手段を備え、前記回収依頼手段は、全ての前記収納デバイスに前記記録媒体が収納されている場合に、前記回収を依頼しても良い。
【００１５】
この構成により、本発明の画像形成装置は、全ての収納デバイスに記録媒体が収納されている場合に、収納デバイスに収納されている記録媒体の回収を利用者に依頼するので、少なくとも１つの収納デバイスに記録媒体が収納されていないタイミングで記録媒体の回収を不必要に利用者に依頼することを抑えることができ、利便性を向上することができる。
【００１６】
本発明の画像形成装置において、前記回収依頼手段は、全ての前記収納デバイスに前記記録媒体が収納されている場合に、前記収納デバイスに収納されている前記記録媒体のうち、前記印刷デバイスによって最も先に印刷が実行された前記記録媒体について、前記回収を依頼しても良い。
【００１７】
この構成により、本発明の画像形成装置は、全ての収納デバイスに記録媒体が収納されている場合に、収納デバイスに収納されている記録媒体のうち、印刷デバイスによって最も先に印刷が実行された記録媒体について回収を利用者に依頼するので、収納デバイスに記録媒体が収納されたままにすることに関する利用者間の公平性を向上することができ、その結果、利便性を向上することができる。
【００１８】
本発明の装置制御プログラムは、記憶デバイスと、記録媒体への画像の印刷を実行する印刷デバイスと、前記記録媒体を搬送する搬送デバイスと、前記印刷デバイスによって印刷が実行された前記記録媒体をロックを掛けて収納する少なくとも１つの収納デバイスとを備える画像形成装置に、前記印刷デバイスによる印刷を制御する印刷制御手段と、前記搬送デバイスによる前記記録媒体の搬送を制御する搬送制御手段とを実現させ、前記搬送制御手段は、少なくとも１つの前記収納デバイスに前記記録媒体が収納されていない場合に、印刷データに基づいた前記印刷デバイスによる印刷が実行された前記記録媒体を、前記記録媒体が収納されていない、いずれか１つの前記収納デバイスに搬送し、前記印刷制御手段は、全ての前記収納デバイスに前記記録媒体が収納されている場合に、前記印刷データに基づいた前記印刷デバイスによる印刷を実行せずに前記印刷データを待機印刷データとして前記記憶デバイスに記憶し、前記記憶デバイスに前記待機印刷データが記憶されている場合に、少なくとも１つの前記収納デバイスに前記記録媒体が収納されていないとき、前記記憶デバイスに記憶されている、いずれか１つの前記待機印刷データに基づいた前記印刷デバイスによる印刷を実行して、この待機印刷データを前記記憶デバイスから削除することを特徴とする。
【００１９】
この構成により、本発明の装置制御プログラムを実行する画像形成装置は、全ての収納デバイスに記録媒体が収納されている場合に、印刷データに基づいた印刷デバイスによる印刷を実行せずに印刷データを待機印刷データとして記憶デバイスに記憶し、記憶デバイスに待機印刷データが記憶されている場合に、少なくとも１つの収納デバイスに記録媒体が収納されていないとき、記憶デバイスに記憶されている、いずれか１つの待機印刷データに基づいた印刷デバイスによる印刷を実行して、この印刷が実行された記録媒体を、記録媒体が収納されていない、いずれか１つの収納デバイスに搬送するので、印刷データに基づいた印刷デバイスによる印刷が実行された記録媒体を確実に収納デバイスに搬送することができ、その結果、印刷済みの記録媒体が他人に持ち去られたり、その印刷内容が他人に見られたりすることを防ぐことができる。
【発明の効果】
【００２０】
本発明の画像形成装置および装置制御プログラムは、印刷済みの記録媒体が他人に持ち去られたり、その印刷内容が他人に見られたりすることを防ぐことができる。
【図面の簡単な説明】
【００２１】
【図１】本発明の一実施の形態に係る印刷システムのブロック図である。
【図２】図１に示すコンピューターのブロック図である。
【図３】ＭＦＰである場合の、図１に示す画像形成装置の正面図である。
【図４】図３に示す画像形成装置のブロック図である。
【図５】図４に示す電子メールアドレス管理情報の一例を示す図である。
【図６】図４に示すボックス管理情報の一例を示す図である。
【図７】印刷データを受信した場合の、図３に示す画像形成装置の動作のフローチャートである。
【図８】セキュリティーボックスに収納されている記録媒体が回収される場合の、図３に示す画像形成装置の動作のフローチャートである。
【図９】記憶部に記憶されている待機印刷データに基づいた印刷を実行する場合の、図３に示す画像形成装置の動作のフローチャートである。
【発明を実施するための形態】
【００２２】
以下、本発明の実施の形態について、図面を用いて説明する。
【００２３】
まず、本発明の一実施の形態に係る印刷システムの構成について説明する。
【００２４】
図１は、本実施の形態に係る印刷システム１０のブロック図である。
【００２５】
図１に示すように、印刷システム１０は、印刷データを生成するコンピューター２０と、画像形成装置としての画像形成装置３０とを備えている。
【００２６】
コンピューター２０は、例えば、ＰＣ（Ｐｅｒｓｏｎａｌ  Ｃｏｍｐｕｔｅｒ）である。
【００２７】
画像形成装置３０は、例えば、ＭＦＰ（Ｍｕｌｔｉｆｕｎｃｔｉｏｎ  Ｐｅｒｉｐｈｅｒａｌ）、プリンター専用機である。
【００２８】
コンピューター２０と、画像形成装置３０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、互いに通信可能である。
【００２９】
印刷システム１０は、コンピューター２０と同様のコンピューターを、コンピューター２０以外に少なくとも１つ備えることができる。印刷システム１０は、画像形成装置３０と同様な画像形成装置を画像形成装置３０以外に少なくとも１つ備えることができる。
【００３０】
図２は、コンピューター２０のブロック図である。
【００３１】
図２に示すように、コンピューター２０は、種々の操作が入力される例えばキーボード、マウスなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク経由で、または、ネットワークを介さずに有線または無線によって直接に、外部の装置と通信を行う通信デバイスである通信部２３と、各種の情報を記憶する半導体メモリー、ＨＤＤ（Ｈａｒｄ  Ｄｉｓｋ  Ｄｒｉｖｅ）などの不揮発性の記憶デバイスである記憶部２４と、コンピューター２０全体を制御する制御部２５とを備えている。
【００３２】
記憶部２４は、画像形成装置に印刷を実行させるためのプリンタードライバー２４ａを記憶している。プリンタードライバー２４ａは、例えば、コンピューター２０の製造段階でコンピューター２０にインストールされていても良いし、ＵＳＢ（Ｕｎｉｖｅｒｓａｌ  Ｓｅｒｉａｌ  Ｂｕｓ）メモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター２０に追加でインストールされても良いし、ネットワーク上からコンピューター２０に追加でインストールされても良い。
【００３３】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００３４】
制御部２５は、プリンタードライバー２４ａを実行することによって、印刷データを生成し、生成した印刷データを画像形成装置に送信することができる。制御部２５は、利用者によって指定された、記録媒体の出力先を示す指定出力先情報を印刷データに含めることが可能である。利用者は、操作部２１を介して、記録媒体の出力先として、後述する通常トレイと、後述するキャビネットとのいずれかを指定することができる。制御部２５は、記録媒体の出力先が指定されていない印刷データ（以下「無指定印刷データ」という。）と、記録媒体の出力先として通常トレイが指定された印刷データ（以下「通常トレイ指定印刷データ」という。）と、記録媒体の出力先としてキャビネットが指定された印刷データ（以下「キャビネット指定印刷データ」という。）とのいずれかを印刷データとして生成することができる。制御部２５は、印刷データの生成を指示した利用者の識別情報（以下「利用者ＩＤ」という。）をキャビネット指定印刷データに必ず含ませる。
【００３５】
図３は、ＭＦＰである場合の画像形成装置３０の正面図である。図４は、図３に示す画像形成装置３０のブロック図である。
【００３６】
図３および図４に示す画像形成装置３０は、種々の操作が入力されるボタンなどの入力デバイスである操作部３１と、種々の情報を表示するＬＣＤなどの表示デバイスである表示部３２と、用紙などの記録媒体への画像の印刷を実行する印刷デバイスであるプリンター３３と、プリンター３３によって印刷が実行される記録媒体を搬送する搬送デバイスとしての搬送部３４と、プリンター３３によって印刷が実行された記録媒体が載置される１つの通常トレイ３５と、プリンター３３によって印刷が実行された記録媒体をロックを掛けて収納する収納デバイスとしてのセキュリティーボックス３６ａを複数備えるキャビネット３６と、原稿から画像を読み取る読取デバイスであるスキャナー３７と、図示していない外部のファクシミリ装置と公衆電話回線などの通信回線経由でファックス通信を行うファックスデバイスであるファックス通信部３８と、ネットワーク経由で、または、ネットワークを介さずに有線または無線によって直接に、外部の装置と通信を行う通信デバイスである通信部３９と、各種の情報を記憶する半導体メモリー、ＨＤＤなどの不揮発性の記憶デバイスである記憶部４０と、画像形成装置３０全体を制御する制御部４１とを備えている。
【００３７】
操作部３１は、一部が表示部３２とともにタッチパネルを構成している。
【００３８】
搬送部３４は、プリンター３３によって印刷が実行された記録媒体を通常トレイ３５に搬送することができる。搬送部３４は、プリンター３３によって印刷が実行された記録媒体を複数のセキュリティーボックス３６ａのいずれにも搬送することができる。
【００３９】
通常トレイ３５は、通常トレイ指定印刷データに基づいたプリンター３３による印刷が実行される場合に、プリンター３３によって印刷が実行された記録媒体が載置されるトレイである。
【００４０】
セキュリティーボックス３６ａは、記録媒体を収納していない場合に青色に点灯し、記録媒体を収納している場合に赤色に点灯する媒体有無表示部３６ｂを備えている。
【００４１】
記憶部４０は、画像形成装置３０を制御するための装置制御プログラム４０ａを記憶している。装置制御プログラム４０ａは、例えば、画像形成装置３０の製造段階で画像形成装置３０にインストールされていても良いし、ＵＳＢメモリーなどの外部の記憶媒体から画像形成装置３０に追加でインストールされても良いし、ネットワーク上から画像形成装置３０に追加でインストールされても良い。
【００４２】
記憶部４０は、利用者の電子メールアドレスを管理するための電子メールアドレス管理情報４０ｂを記憶可能である。
【００４３】
図５は、電子メールアドレス管理情報４０ｂの一例を示す図である。
【００４４】
図５に示すように、電子メールアドレス管理情報４０ｂは、利用者ＩＤと、この利用者ＩＤによって特定される利用者の電子メールアドレスとを関連付けている情報である。
【００４５】
図４に示すように、記憶部４０は、セキュリティーボックス３６ａを管理するためのボックス管理情報４０ｃを記憶可能である。
【００４６】
図６は、ボックス管理情報４０ｃの一例を示す図である。
【００４７】
図６に示すように、ボックス管理情報４０ｃは、セキュリティーボックス３６ａの識別情報（以下「ボックスＩＤ」という。）と、このボックスＩＤによって特定されるセキュリティーボックス３６ａに収納された記録媒体を画像形成装置３０に印刷させた利用者の利用者ＩＤと、このボックスＩＤによって特定されるセキュリティーボックス３６ａに記録媒体が収納された時期（以下「媒体収納時期」という。）と、このボックスＩＤによって特定されるセキュリティーボックス３６ａの蓋を開けるためのパスワードとを関連付けている情報である。
【００４８】
図４に示す制御部４１は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４０に記憶されているプログラムを実行する。
【００４９】
制御部４１は、装置制御プログラム４０ａを実行することによって、プリンター３３による印刷を制御する印刷制御手段４１ａと、搬送部３４による記録媒体の搬送を制御する搬送制御手段４１ｂと、キャビネット３６に収納されている記録媒体の回収を利用者に依頼する回収依頼手段４１ｃとを実現する。
【００５０】
次に、印刷システム１０の動作について説明する。
【００５１】
まず、無指定印刷データまたは通常トレイ指定印刷データがコンピューター２０から画像形成装置３０に送信される場合の印刷システム１０の動作について説明する。
【００５２】
利用者は、無指定印刷データを画像形成装置３０に送信することを、コンピューター２０の操作部２１を介してコンピューター２０に指示することができる。コンピューター２０の制御部２５は、無指定印刷データを画像形成装置３０に送信することが指示されると、無指定印刷データを生成し、生成した無指定印刷データを画像形成装置３０に送信する。
【００５３】
同様に、利用者は、通常トレイ指定印刷データを画像形成装置３０に送信することを、コンピューター２０の操作部２１を介してコンピューター２０に指示することができる。コンピューター２０の制御部２５は、通常トレイ指定印刷データを画像形成装置３０に送信することが指示されると、通常トレイ指定印刷データを生成し、生成した通常トレイ指定印刷データを画像形成装置３０に送信する。
【００５４】
画像形成装置３０の制御部４１は、無指定印刷データまたは通常トレイ指定印刷データを受信すると、図７に示す動作を実行する。
【００５５】
図７は、印刷データを受信した場合の画像形成装置３０の動作のフローチャートである。
【００５６】
図７に示すように、印刷制御手段４１ａは、受信した印刷データ（以下「対象印刷データ」という。）がキャビネット指定印刷データであるか否かを判断する（Ｓ１０１）。
【００５７】
印刷制御手段４１ａは、対象印刷データとして無指定印刷データまたは通常トレイ指定印刷データを受信した場合、対象印刷データがキャビネット指定印刷データではないとＳ１０１において判断し、対象印刷データに基づいたプリンター３３による印刷を実行する（Ｓ１０２）。
【００５８】
次いで、搬送制御手段４１ｂは、Ｓ１０２において印刷が実行された全ての記録媒体を通常トレイ３５に搬送して（Ｓ１０３）、図７に示す動作を終了する。
【００５９】
次に、キャビネット指定印刷データがコンピューター２０から画像形成装置３０に送信される場合の印刷システム１０の動作について説明する。
【００６０】
利用者は、キャビネット指定印刷データを画像形成装置３０に送信することを、コンピューター２０の操作部２１を介してコンピューター２０に指示することができる。コンピューター２０の制御部２５は、キャビネット指定印刷データを画像形成装置３０に送信することが指示されると、キャビネット指定印刷データを生成し、生成したキャビネット指定印刷データを画像形成装置３０に送信する。
【００６１】
画像形成装置３０の制御部４１は、キャビネット指定印刷データを受信すると、図７に示す動作を実行する。
【００６２】
図７に示すように、印刷制御手段４１ａは、対象印刷データがキャビネット指定印刷データであるか否かを判断する（Ｓ１０１）。
【００６３】
印刷制御手段４１ａは、対象印刷データとしてキャビネット指定印刷データを受信した場合、対象印刷データがキャビネット指定印刷データであるとＳ１０１において判断し、キャビネット３６の少なくとも１つのセキュリティーボックス３６ａに記録媒体が収納されていないか否かを判断する（Ｓ１２１）。ここで、印刷制御手段４１ａは、蓋がロックされており、内部に物が存在しないことが図示していないセンサーによって検出されるセキュリティーボックス３６ａのみを、記録媒体が収納されていないセキュリティーボックス３６ａとして判断する。そして、印刷制御手段４１ａは、記録媒体が収納されていないと判断しなかったセキュリティーボックス３６ａを、記録媒体が収納されているセキュリティーボックス３６ａとして判断する。
【００６４】
印刷制御手段４１ａは、キャビネット３６の少なくとも１つのセキュリティーボックス３６ａに記録媒体が収納されていないとＳ１２１において判断すると、対象印刷データに基づいたプリンター３３による印刷を実行する（Ｓ１２２）。
【００６５】
次いで、搬送制御手段４１ｂは、Ｓ１２２において印刷が実行された全ての記録媒体を、記録媒体が収納されていない、いずれか１つのセキュリティーボックス３６ａに搬送する（Ｓ１２３）。
【００６６】
次いで、回収依頼手段４１ｃは、Ｓ１２３において記録媒体が搬送されたセキュリティーボックス３６ａの蓋を開けるための任意のパスワードを自動で生成し（Ｓ１２４）、対象印刷データに含まれる利用者ＩＤと、Ｓ１２３において搬送された記録媒体がセキュリティーボックス３６ａに搬送された時期、すなわち、媒体収納時期と、Ｓ１２４において生成したパスワードとを、Ｓ１２３において記録媒体が搬送されたセキュリティーボックス３６ａのボックスＩＤに関連付けてボックス管理情報４０ｃに記憶する（Ｓ１２５）。
【００６７】
次いで、回収依頼手段４１ｃは、印刷済みの記録媒体をセキュリティーボックス３６ａに収納したことを通知するための電子メールを、対象印刷データに含まれる利用者ＩＤに関連付けて電子メールアドレス管理情報４０ｂに記憶されている電子メールアドレス宛てに送信して（Ｓ１２６）、図７に示す動作を終了する。なお、回収依頼手段４１ｃは、Ｓ１２６において送信する電子メールにおけるメッセージに、Ｓ１２３において記録媒体が搬送されたセキュリティーボックス３６ａのボックスＩＤと、Ｓ１２４において生成したパスワードとを含ませる。
【００６８】
印刷制御手段４１ａは、キャビネット３６の全てのセキュリティーボックス３６ａに記録媒体が収納されているとＳ１２１において判断されると、対象印刷データを待機印刷データとして記憶部４０に記憶する（Ｓ１４１）。
【００６９】
次いで、回収依頼手段４１ｃは、ボックス管理情報４０ｃにおいて最も前の媒体収納時期に関連付けられているボックスＩＤ、利用者ＩＤおよびパスワードを特定し（Ｓ１４２）、セキュリティーボックス３６ａに収納されている記録媒体の回収を利用者に依頼するための電子メールを、Ｓ１４２において特定した利用者ＩＤに関連付けて電子メールアドレス管理情報４０ｂに記憶されている電子メールアドレス宛てに送信して（Ｓ１４３）、図７に示す動作を終了する。なお、回収依頼手段４１ｃは、Ｓ１４３において送信する電子メールにおけるメッセージに、Ｓ１４２において特定したボックスＩＤおよびパスワードを含ませる。
【００７０】
次に、セキュリティーボックス３６ａに収納されている記録媒体が回収される場合の画像形成装置３０の動作について説明する。
【００７１】
利用者は、Ｓ１２６またはＳ１４３において送信されてきた電子メールを、コンピューター２０など、任意のコンピューターによって確認することができる。そして、利用者は、セキュリティーボックス３６ａに収納されている記録媒体を回収することを希望する場合、セキュリティーボックス３６ａのロックを解除するための処理の開始を画像形成装置３０の操作部３１を介して画像形成装置３０に指示する。したがって、画像形成装置３０の制御部４１は、図８に示す動作を開始する。
【００７２】
図８は、セキュリティーボックス３６ａに収納されている記録媒体が回収される場合の画像形成装置３０の動作のフローチャートである。
【００７３】
図８に示すように、画像形成装置３０の回収依頼手段４１ｃは、利用者が蓋を開けることを希望するセキュリティーボックス３６ａのボックスＩＤおよびパスワードを入力するための画面を表示部３２に表示し（Ｓ１６１）、ボックスＩＤおよびパスワードが入力されたと判断するまで、ボックスＩＤおよびパスワードが入力されたか否かを判断する（Ｓ１６２）。ここで、利用者は、Ｓ１２６またはＳ１４３において送信されてきた電子メールに含まれているボックスＩＤおよびパスワードを画像形成装置３０の操作部３１を介して画像形成装置３０に入力することができる。
【００７４】
回収依頼手段４１ｃは、ボックスＩＤおよびパスワードが入力されたとＳ１６２において判断すると、操作部３１を介して入力されたボックスＩＤおよびパスワードの組み合わせがボックス管理情報４０ｃに記憶されているか否かを判断する（Ｓ１６３）。
【００７５】
回収依頼手段４１ｃは、操作部３１を介して入力されたボックスＩＤおよびパスワードの組み合わせがボックス管理情報４０ｃに記憶されていないとＳ１６３において判断すると、操作部３１を介して入力されたボックスＩＤおよびパスワードの組み合わせが間違っている旨を表示部３２に表示して（Ｓ１６４）、図８に示す動作を終了する。
【００７６】
回収依頼手段４１ｃは、操作部３１を介して入力されたボックスＩＤおよびパスワードの組み合わせがボックス管理情報４０ｃに記憶されているとＳ１６３において判断すると、このボックスＩＤによって特定されるセキュリティーボックス３６ａの蓋のロックを解除し（Ｓ１６５）、このボックスＩＤに関連付けられている利用者ＩＤ、媒体収納時期およびパスワードをボックス管理情報４０ｃから削除して（Ｓ１６６）、図８に示す動作を終了する。したがって、利用者は、Ｓ１６５においてロックが解除されたセキュリティーボックス３６ａの蓋を開けて、このセキュリティーボックス３６ａから記録媒体を回収することができる。
【００７７】
なお、回収依頼手段４１ｃは、Ｓ１６５においてロックを解除したセキュリティーボックス３６ａの蓋が閉じられた場合に、このセキュリティーボックス３６ａの内部に物が存在しないことを図示していないセンサーによって検出すると、このセキュリティーボックス３６ａの蓋をロックする。
【００７８】
次に、記憶部４０に記憶されている待機印刷データに基づいた印刷を実行する場合の画像形成装置３０の動作について説明する。
【００７９】
画像形成装置３０の制御部４１は、画像形成装置３０が起動している間、図９に示す動作を繰り返す。
【００８０】
図９は、記憶部４０に記憶されている待機印刷データに基づいた印刷を実行する場合の画像形成装置３０の動作のフローチャートである。
【００８１】
図９に示すように、印刷制御手段４１ａは、記憶部４０に待機印刷データが記憶されているか否かを判断する（Ｓ１８１）。
【００８２】
印刷制御手段４１ａは、記憶部４０に待機印刷データが記憶されていないとＳ１８１において判断すると、図９に示す動作を終了する。
【００８３】
印刷制御手段４１ａは、記憶部４０に待機印刷データが記憶されているとＳ１８１において判断すると、キャビネット３６の少なくとも１つのセキュリティーボックス３６ａに記録媒体が収納されていないか否かを判断する（Ｓ１８２）。ここで、印刷制御手段４１ａは、蓋がロックされており、内部に物が存在しないことが図示していないセンサーによって検出されるセキュリティーボックス３６ａのみを、記録媒体が収納されていないセキュリティーボックス３６ａとして判断する。そして、印刷制御手段４１ａは、記録媒体が収納されていないと判断しなかったセキュリティーボックス３６ａを、記録媒体が収納されているセキュリティーボックス３６ａとして判断する。
【００８４】
印刷制御手段４１ａは、キャビネット３６の全てのセキュリティーボックス３６ａに記録媒体が収納されているとＳ１８２において判断すると、図９に示す動作を終了する。
【００８５】
印刷制御手段４１ａは、キャビネット３６の少なくとも１つのセキュリティーボックス３６ａに記録媒体が収納されていないとＳ１８２において判断すると、記憶部４０に最も先に記憶された待機印刷データに基づいたプリンター３３による印刷を実行する（Ｓ１８３）。ここで、印刷制御手段４１ａは、待機印刷データ以外の印刷データに基づいた印刷を実行している場合、すなわち、無指定印刷データまたは通常トレイ指定印刷データに基づいた印刷を実行している場合に、Ｓ１８３の印刷を実行するとき、無指定印刷データまたは通常トレイ指定印刷データに基づいた印刷を一時中断して、Ｓ１８３の印刷を実行する。印刷制御手段４１ａは、無指定印刷データまたは通常トレイ指定印刷データに基づいた印刷を一時中断した場合、Ｓ１８３の印刷の実行が終了した後で、無指定印刷データまたは通常トレイ指定印刷データに基づいた印刷を再開する。
【００８６】
次いで、搬送制御手段４１ｂは、Ｓ１８３において印刷が実行された全ての記録媒体を、記録媒体が収納されていない、いずれか１つのセキュリティーボックス３６ａに搬送する（Ｓ１８４）。
【００８７】
次いで、印刷制御手段４１ａは、１８３において印刷済みの待機印刷データを記憶部４０から削除する（Ｓ１８５）。ここで、印刷制御手段４１ａは、記憶部４０から待機印刷データとしての印刷データ自体を削除することによって、記憶部４０から待機印刷データを削除しても良いし、記憶部４０から待機印刷データとしての印刷データ自体は削除せずに、この印刷データが待機印刷データであるという情報を記憶部４０から削除することによって、記憶部４０から待機印刷データを削除しても良い。
【００８８】
次いで、回収依頼手段４１ｃは、Ｓ１８４において記録媒体が搬送されたセキュリティーボックス３６ａの蓋を開けるための任意のパスワードを自動で生成し（Ｓ１８６）、Ｓ１８３において印刷済みの待機印刷データに含まれる利用者ＩＤと、Ｓ１８４において搬送された記録媒体がセキュリティーボックス３６ａに搬送された時期、すなわち、媒体収納時期と、Ｓ１８６において生成したパスワードとを、Ｓ１８４において記録媒体が搬送されたセキュリティーボックス３６ａのボックスＩＤに関連付けてボックス管理情報４０ｃに記憶する（Ｓ１８７）。
【００８９】
次いで、回収依頼手段４１ｃは、印刷済みの記録媒体をセキュリティーボックス３６ａに収納したことを通知するための電子メールを、Ｓ１８３において印刷済みの待機印刷データに含まれる利用者ＩＤに関連付けて電子メールアドレス管理情報４０ｂに記憶されている電子メールアドレス宛てに送信して（Ｓ１８８）、図９に示す動作を終了する。なお、回収依頼手段４１ｃは、Ｓ１８８において送信する電子メールにおけるメッセージに、Ｓ１８４において記録媒体が搬送されたセキュリティーボックス３６ａのボックスＩＤと、Ｓ１８６において生成したパスワードとを含ませる。
【００９０】
以上に説明したように、画像形成装置３０は、全てのセキュリティーボックス３６ａに記録媒体が収納されている場合に（Ｓ１２１でＮＯ）、印刷データに基づいたプリンター３３による印刷を実行せずに印刷データを待機印刷データとして記憶部４０に記憶し（Ｓ１４１）、記憶部４０に待機印刷データが記憶されている場合に（Ｓ１８１でＹＥＳ）、少なくとも１つのセキュリティーボックス３６ａに記録媒体が収納されていないとき（Ｓ１８２でＹＥＳ）、記憶部４０に記憶されている、いずれか１つの待機印刷データに基づいたプリンター３３による印刷を実行して、この印刷が実行された記録媒体を、記録媒体が収納されていない、いずれか１つのセキュリティーボックス３６ａに搬送する（Ｓ１８３およびＳ１８４）ので、印刷データに基づいたプリンター３３による印刷が実行された記録媒体を確実にセキュリティーボックス３６ａに搬送することができ、その結果、印刷済みの記録媒体が他人に持ち去られたり、その印刷内容が他人に見られたりすることを防ぐことができる。
【００９１】
特に、画像形成装置３０は、記憶部４０に待機印刷データが記憶されている場合に（Ｓ１８１でＹＥＳ）、少なくとも１つのセキュリティーボックス３６ａに記録媒体が収納されていないとき（Ｓ１８２でＹＥＳ）、記憶部４０に最も先に記憶された待機印刷データに基づいたプリンター３３による印刷を実行して、この印刷が実行された記録媒体を、記録媒体が収納されていない、いずれか１つのセキュリティーボックス３６ａに搬送する（Ｓ１８３およびＳ１８４）ので、印刷データに基づいたプリンター３３による印刷が実行された記録媒体をセキュリティーボックス３６ａに搬送する順番に関する公平性を向上することができる。
【００９２】
なお、画像形成装置３０は、記憶部４０に最も先に記憶された待機印刷データ以外の待機印刷データに基づいたプリンター３３による印刷が実行された記録媒体をＳ１８４において搬送しても良い。
【００９３】
画像形成装置３０は、記憶部４０に待機印刷データが記憶されている場合に、少なくとも１つのセキュリティーボックス３６ａに記録媒体が収納されていないとき、記憶部４０に記憶されている、いずれか１つの待機印刷データに基づいたプリンター３３による印刷を、無指定印刷データまたは通常トレイ指定印刷データに基づいた印刷より優先して実行する（Ｓ１８３）ので、利便性を向上することができる。なお、画像形成装置３０は、Ｓ１８３において、待機印刷データに基づいたプリンター３３による印刷を、無指定印刷データまたは通常トレイ指定印刷データに基づいた印刷より優先しなくても良い。
【００９４】
画像形成装置３０は、全てのセキュリティーボックス３６ａに記録媒体が収納されている場合に（Ｓ１２１でＮＯ）、セキュリティーボックス３６ａに収納されている記録媒体の回収を利用者に依頼する（Ｓ１４３）ので、少なくとも１つのセキュリティーボックス３６ａに記録媒体が収納されていないタイミングで記録媒体の回収を不必要に利用者に依頼することを抑えることができ、利便性を向上することができる。
【００９５】
特に、画像形成装置３０は、全てのセキュリティーボックス３６ａに記録媒体が収納されている場合に（Ｓ１２１でＮＯ）、セキュリティーボックス３６ａに収納されている記録媒体のうち、プリンター３３によって最も先に印刷が実行された記録媒体について回収を利用者に依頼する（Ｓ１４２およびＳ１４３）ので、セキュリティーボックス３６ａに記録媒体が収納されたままにすることに関する利用者間の公平性を向上することができ、その結果、利便性を向上することができる。
【００９６】
なお、画像形成装置３０は、セキュリティーボックス３６ａに収納されている記録媒体のうち、プリンター３３によって最も先に印刷が実行された記録媒体以外の記録媒体について回収をＳ１４３において依頼しても良い。
【００９７】
画像形成装置３０は、本実施の形態においてセキュリティーボックス３６ａを複数備えているが、セキュリティーボックス３６ａを１つのみ備える構成でも良い。
【符号の説明】
【００９８】
３０  画像形成装置
３３  プリンター（印刷デバイス）
３４  搬送部（搬送デバイス）
３６ａ  セキュリティーボックス（収納デバイス）
４０  記憶部（記憶デバイス）
４０ａ  装置制御プログラム
４１ａ  印刷制御手段
４１ｂ  搬送制御手段
４１ｃ  回収依頼手段
【図１】
2019055575.tif 000003
【図２】
2019055575.tif 000004
【図３】
2019055575.tif 000005
【図４】
2019055575.tif 000006
【図５】
2019055575.tif 000007
【図６】
2019055575.tif 000008
【図７】
2019055575.tif 000009
【図８】
2019055575.tif 000010
【図９】
2019055575.tif 000011